(57)【要約】      （修正有）【課題】木柱の引抜作業の作業時間と作業者の負担を低減することができる木柱の引抜装置および木柱の引抜方法を提供する。【解決手段】一端側が地中に埋設して立てられた木柱Ｐを引き抜くための木柱の引抜装置であって、上下方向に延びる一対の棒状体１０と、各棒状体１０を上下方向に昇降可能に支持する一対の昇降装置４０と、木柱Ｐの側面にあてがわれる第一あてがい部５２を有する一対の第一支持部５０と、木柱Ｐの側面にあてがわれる第二あてがい部６２を有する一対の第二支持部６０と、棒状体１０に固定または固定解除し、第一支持部５０および第二支持部６０の両方または一方の棒状体１０への固定位置を上下方向に変更可能な支持部固定手段と、一対の第一支持部５０と木柱Ｐおよび一対の第二支持部６０と木柱Ｐを一体的に締結する締結手段と、一対の第一支持部５０および一対の第二支持部６０を木柱Ｐに固定する木柱固定手段と、を備える。【選択図】図１
2017101545.tif 000002
【特許請求の範囲】
【請求項１】
一端側が地中に埋設して立てられた木柱を引き抜くための木柱の引抜装置であって、
上下方向に延びる一対の棒状体と、
前記各棒状体を上下方向に昇降可能に支持する一対の昇降装置と、
前記各棒状体にその上下方向においてスライド可能に取り付けられ、それぞれ前記木柱の側面にあてがわれる第一あてがい部を有する一対の第一支持部と、
前記各棒状体にその上下方向においてスライド可能に取り付けられ、それぞれ前記木柱の側面にあてがわれる第二あてがい部を有する一対の第二支持部と、
前記第一支持部および前記第二支持部の両方または一方を前記棒状体に固定または固定解除し、前記第一支持部および前記第二支持部の両方または一方の前記棒状体への固定位置を上下方向に変更可能な支持部固定手段と、
前記一対の第一支持部と前記木柱および前記一対の第二支持部と前記木柱の両方の組み合わせまたは一方の組み合わせをそれぞれ一体的に締結する締結手段と、
前記一対の第一支持部および前記一対の第二支持部の両方の対または一方の対を前記木柱に固定する木柱固定手段と、を備えることを特徴とする木柱の引抜装置。
【請求項２】
前記昇降装置は、昇降する昇降部と、前記昇降部の昇降を操作する操作部と、を備え、前記昇降部は、前記操作部の回転により昇降し、前記操作部が電動回転工具に装着可能であることを特徴とする請求項１記載の木柱の引抜装置。
【請求項３】
一端側が地中に埋設して立てられた木柱を木柱の引抜装置を用いて引き抜く木柱の引抜方法であって、
前記木柱の引抜装置は、上下方向に延びる一対の棒状体と、
前記各棒状体を上下方向に昇降可能に支持する一対の昇降装置と、
前記各棒状体にその上下方向においてスライド可能に取り付けられ、それぞれ前記木柱の側面にあてがわれる第一あてがい部を有する一対の第一支持部と、
前記各棒状体にその上下方向においてスライド可能に取り付けられ、それぞれ前記木柱の側面にあてがわれる第二あてがい部を有する一対の第二支持部と、
前記第一支持部および前記第二支持部の両方または一方を前記棒状体に固定または固定解除し、前記第一支持部および前記第二支持部の両方または一方の前記棒状体への固定位置を上下方向に変更可能な支持部固定手段と、
前記一対の第一支持部と前記木柱および前記一対の第二支持部と前記木柱の両方の組み合わせまたは一方の組み合わせをそれぞれ一体的に締結する締結手段と、
前記一対の第一支持部および前記一対の第二支持部の両方の対または一方の対を前記木柱に固定する木柱固定手段と、を備え、
前記一対の第一支持部および前記一対の第二支持部の両方の対または一方の対を前記支持部固定手段により前記一対の棒状体に固定し、
前記一対の第一支持部の第一あてがい部および前記一対の第二支持部の第二あてがい部を対向させて前記木柱の側面にあてがい、
前記一対の第一支持部と前記木柱および前記一対の第二支持部と前記木柱の両方の組み合わせまたは一方の組み合わせを締結手段で締結し、
前記一対の第一支持部および前記一対の第二支持部の両方の対または一方の対を前記木柱固定手段により前記木柱に固定し、前記一対の昇降装置により前記一対の棒状体を同時に上昇させることを特徴とする木柱の引抜方法。
【請求項４】
さらに、前記支持部固定手段により前記各棒状体に固定された前記一対の第一支持部および前記一対の第二支持部の両方の対または一方の対に対してその固定を解除し、前記一対の昇降装置により前記一対の棒状体を下降させ、
前記一対の第一支持部および前記一対の第二支持部の両方の対または一方の対を前記支持部固定手段により前記棒状体に固定し、
前記一対の昇降装置により前記一対の棒状体を同時に上昇させることを特徴とする請求項３記載の木柱の引抜方法。
【発明の詳細な説明】
【技術分野】
【０００１】
本発明は、木柱の引抜装置および木柱の引抜方法に関する。
【背景技術】
【０００２】
近年、電力の分野では、電柱にコンクリート製のものが採用されており、既設の木製の電柱（以下、木柱とする）をコンクリート製の電柱に建て替える作業が進められている。電柱の建て替えにおいては、木柱を地中から引き抜いて撤去する必要があり、狭隘な場所における地中からの木柱の引き抜きには、図１０に示される装置が用いられている。この装置は、Ｃ型鋼などからなるアーム材１０２を組み合わせてなる装置本体１００と、チェーンブロック１０４とを備えている。装置本体１００は、長手方向を水平にしたアーム材１０２と、このアーム材１０２を基端としてそれぞれ斜め上方に延び、互いに交差する２つのアーム材１０２，１０２と、により構成されている。また、チェーンブロック１０４は、アーム材１０２の交差部分からワイヤＷなどにより吊り下げられる。この装置は、装置本体１００を地面に設置しつつ、交差部分を木柱に立てかけ、チェーンブロック１０４のチェーン１０６を木柱に括り付け、作業者がチェーンブロック１０４を操作してチェーン１０６を巻き上げることにより、木柱を地面から引き抜いていく。
【０００３】
しかしながら、この装置によると、木柱を引き抜く作業の際、装置本体１００にかなりの負荷がかかるため、アーム材１０２が変形し、装置本体１００が破損してしまうことがある。また、チェーンブロック１０４の操作には相当な力が必要であり、またチェーンブロック１０４のチェーン１０６の巻き上げ長さが比較的短く、木柱を引き抜くまでにチェーン１０６を木柱に巻き付ける位置を変えてチェーンブロック１０４を巻き上げる作業を何度も繰り返す必要があるため、作業者に大きな負担がかかり、作業時間も長くなるという問題もあった。
【０００４】
なお、特許文献１には、複合柱や継柱を引き抜くための装置が記載されている。
【先行技術文献】
【特許文献】
【０００５】
【特許文献１】特開２０００−３２６２４号
【発明の概要】
【発明が解決しようとする課題】
【０００６】
本発明は、装置を破損させることなく安全に木柱を引き抜くことができ、しかも木柱の引抜作業の作業時間と作業者の負担を低減することができる木柱の引抜装置および木柱の引抜方法を提供することを目的とする。
【課題を解決するための手段】
【０００７】
木柱の引抜装置は、一端側が地中に埋設して立てられた木柱を引き抜くための木柱の引抜装置であって、上下方向に延びる一対の棒状体と、各棒状体を上下方向に昇降可能に支持する一対の昇降装置と、各棒状体にその上下方向においてスライド可能に取り付けられ、それぞれ木柱の側面にあてがわれる第一あてがい部を有する一対の第一支持部と、各棒状体にその上下方向においてスライド可能に取り付けられ、それぞれ木柱の側面にあてがわれる第二あてがい部を有する一対の第二支持部と、第一支持部および第二支持部の両方または一方を棒状体に固定または固定解除し、第一支持部および第二支持部の両方または一方の棒状体への固定位置を上下方向に変更可能な支持部固定手段と、一対の第一支持部と木柱および一対の第二支持部と木柱の両方の組み合わせまたは一方の組み合わせをそれぞれ一体的に締結する締結手段と、一対の第一支持部および一対の第二支持部の両方の対または一方の対を木柱に固定する木柱固定手段と、を備える。
【０００８】
木柱の引抜装置は、昇降装置が、昇降する昇降部と、昇降部の昇降を操作する操作部と、を備え、昇降部は、操作部の回転により昇降し、操作部が電動回転工具に装着可能なものとすることができる。
【０００９】
木柱の引抜方法は、一端側が地中に埋設して立てられた木柱を木柱の引抜装置を用いて引き抜く木柱の引抜方法であって、木柱の引抜装置が、上下方向に延びる一対の棒状体と、各棒状体を上下方向に昇降可能に支持する一対の昇降装置と、各棒状体にその上下方向においてスライド可能に取り付けられ、それぞれ木柱の側面にあてがわれる第一あてがい部を有する一対の第一支持部と、各棒状体にその上下方向においてスライド可能に取り付けられ、それぞれ木柱の側面にあてがわれる第二あてがい部を有する一対の第二支持部と、第一支持部および第二支持部の両方または一方を棒状体に固定または固定解除し、第一支持部および第二支持部の両方または一方の棒状体への固定位置を上下方向に変更可能な支持部固定手段と、一対の第一支持部と木柱および一対の第二支持部と木柱の両方の組み合わせまたは一方の組み合わせをそれぞれ一体的に締結する締結手段と、一対の第一支持部および一対の第二支持部の両方の対または一方の対を木柱に固定する木柱固定手段と、を備える。
そして、木柱の引抜方法は、一対の第一支持部および一対の第二支持部の両方の対または一方の対を支持部固定手段により一対の棒状体に固定し、一対の第一支持部の第一あてがい部および一対の第二支持部の第二あてがい部を対向させて木柱の側面にあてがい、一対の第一支持部と木柱および一対の第二支持部と木柱の両方の組み合わせまたは一方の組み合わせを締結手段で締結し、一対の第一支持部および一対の第二支持部の両方の対または一方の対を木柱固定手段により木柱に固定し、一対の昇降装置により一対の棒状体を同時に上昇させるものである。
【００１０】
木柱の引抜方法は、さらに、支持部固定手段により各棒状体に固定された一対の第一支持部および一対の第二支持部の両方の対または一方の対に対してその固定を解除し、一対の昇降装置により一対の棒状体を下降させ、一対の第一支持部および一対の第二支持部の両方の対または一方の対を支持部固定手段により棒状体に固定し、一対の昇降装置により一対の棒状体を同時に上昇させることができる。
【発明の効果】
【００１１】
木柱の引抜装置および木柱の引抜方法は、装置を破損させることなく安全に木柱を引き抜くことができ、しかも木柱の引抜作業の作業時間と作業者の負担を著しく低減することができる。
また、木柱の引抜装置は、比較的軽量であるため運搬しやすく、低コストで製造することができる。
【図面の簡単な説明】
【００１２】
【図１】実施形態の木柱の引抜装置を示す正面図である。
【図２】実施形態の木柱の引抜装置を示す側面図である。
【図３】（Ａ）は昇降装置を示す正面図であり、（Ｂ）は昇降装置を示す側面図である。
【図４】（Ａ）は第一支持部を示す平面図であり、（Ｂ）は第一支持部を示す側面図であり、（Ｃ）は第一支持部を示す正面図である。
【図５】（Ａ）は第二支持部を示す平面図であり、（Ｂ）は第二支持部を示す側面図であり、（Ｃ）は第二支持部を示す正面図である。
【図６】（Ａ）は支持部固定具を示す側面図であり、（Ｂ）は支持部固定具を示す正面図である。
【図７】図１のＶＩＩ−ＶＩＩ線断面図である。
【図８】図１のＶＩＩＩ−ＶＩＩＩ線断面図である。
【図９】木柱の引抜方法を表す正面図であって、（Ａ）は木柱の引抜装置を木柱に取り付けた状態を示し、（Ｂ）は昇降装置により棒状体を上昇させた状態を示し、（Ｃ）は昇降装置により棒状体を下降させた状態を示し、（Ｄ）は昇降装置により再度棒状体を上昇させた状態を示す。
【図１０】従来の木柱の引抜装置を示す正面図である。
【発明を実施するための形態】
【００１３】
以下、実施形態の木柱の引抜装置および木柱の引抜方法について説明する。図１および図２は、木柱の引抜装置を示す。
【００１４】
木柱の引抜装置は、一対の棒状体１０，１０と、一対の昇降装置４０，４０と、一対の第一支持部５０，５０と、一対の第二支持部６０，６０と、支持部固定手段と、締結手段と、木柱固定手段と、を備えている。
【００１５】
各棒状体１０は、基部２０と、棒部３０と、を備えており、これらは鋼等の金属で形成されている。基部２０は、上下方向に延びる筒状の脚部２２と、脚部２２の下端に設けられる底板２４と、底板２４の底面から下方に延びる筒状のガイド部２６と、を備えている。脚部２２には、左右方向に貫通する鍵穴状の第一孔２８が設けられている。棒部３０は、脚部２２に挿入可能な管状の部材からなり、その長手方向には、所定間隔で前後方向および左右方向に貫通する鍵穴状の第二孔３２が互い違いに設けられている。第二孔３２の形状は、第一孔２８と同じ形状となっている。棒部３０は、脚部２２に第一孔２８と第二孔３２を重ねるようにして挿入し、後述する支持部固定具７０を第一孔２８と第二孔３２に挿入することにより、基部２０に固定される。
【００１６】
各昇降装置４０は、棒状体１０を上下方向に昇降可能に支持するものである。本実施形態の昇降装置４０は、いわゆるスクリュージャッキであり、図３に示すように、昇降装置本体４２と、昇降装置本体４２から昇降する昇降部４４と、昇降部４４の昇降を操作する操作部４６と、を備えている。昇降部４４は、操作部４６の回転により昇降するものであり、基部２０のガイド部２６内に挿入されて基部２０の底板２４の底面を支持する。操作部４６は、その先端部がインパクトレンチなどの電動回転工具に装着可能な形状となっている。本実施形態では、操作部４６の先端部の形状は、六角柱状となっている。各昇降装置４０は、操作部４６を電動回転工具で回転させることにより、昇降部４４を昇降させることができる。なお、操作部４６の先端部は、既存の昇降装置４０の操作部４６に着脱自在に取り付けられるものであってもよい。また、操作部４６は、先端の形状が上記以外のものであってよく、例えば先端部の形状が手動工具を取り付けられる形状であり、手動工具により操作できるものであってもよい。
【００１７】
各第一支持部５０は、棒状体１０にスライド可能に取り付けられるものである。第一支持部５０は、図４に示すように、第一あてがい部５２と、第一スライド部５４と、第一アーム部５６と、を備えており、これらは鋼等の金属で形成されている。第一あてがい部５２は、木柱Ｐの側周に沿って湾曲する板状の第一湾曲部５３を備えており、木柱Ｐの側面に面的にあてがえるようになっている。
【００１８】
第一スライド部５４は、筒状であって、その内部には棒状体１０の棒部３０が通されるようになっており、棒状体１０の棒部３０に対してスライド可能となっている。第一あてがい部５２と第一スライド部５４は、第一アーム部５６を介して連結されている。第一アーム部５６には、後述する締結手段を通すために、前後方向に貫通する長孔である第一長孔５８が設けられている。
【００１９】
本実施形態において、第一支持部５０は、上記のような構成により棒部３０（棒状体１０）に対しスライド可能になっているが、後述する第二支持部６０のように支持部固定手段により棒部３０（棒状体１０）に固定されるものではない。
なお、第一支持部５０を、後述する第二支持部６０のように支持部固定手段により棒部３０（棒状体１０）に固定されるようにしても構わない。
【００２０】
各第二支持部６０は、棒状体１０にスライド可能に取り付けられるものである。第二支持部６０は、鋼等の金属で形成されており、図５に示すように、第二あてがい部６２と、第二スライド部６４と、第二アーム部６６と、を備えている。第二あてがい部６２は、木柱Ｐの側周に沿って湾曲する板状の第二湾曲部６３を備えており、木柱Ｐの側面に面的にあてがえるようになっている。第二湾曲部６３のうち左側および右側の部分には、後述する木柱固定具９０を通すために、板面を貫通する第四孔６９が上下に２つ設けられている。
【００２１】
第二スライド部６４は、筒状であって、その内部には棒状体１０の棒部３０が通されるようになっており、棒状体１０の棒部３０に対してスライド可能となっている。第二スライド部６４には、前後方向に貫通する第三孔６５が設けられている。第三孔６５は第二孔３２より大きな孔となっている。第二あてがい部６２と第二スライド部６４は、第二アーム部６６を介して連結されている。第二アーム部６６には、後述する締結手段を通すために、前後方向に貫通する長孔である第二長孔６８が設けられている。
【００２２】
第二スライド部６４から第二湾曲部６３までの距離は、第一スライド部５４から第一湾曲部５３までの距離と同じとなっており、第一あてがい部５２と第二あてがい部６２が共に木柱Ｐの側面にあてがわれるようになっている。
【００２３】
第二支持部６０は、上記のような構成により棒部３０（棒状体１０）に対しスライド可能になっている。第二支持部６０は、第二スライド部６４の内部に棒状体１０の棒部３０を通し、第三孔６５を第二孔３２に重ね合わせて後述する支持部固定具７０を第三孔６５と第二孔３２に挿入することにより、棒部３０（棒状体１０）に固定される。
【００２４】
第一支持部５０と第二支持部６０は、上下方向に間隔を保って棒部３０（棒状体１０）に取り付けられた状態で使用される。第一支持部５０と第二支持部６０の上下方向の位置関係については、とくに限定されるものではないが、本実施形態では、第一支持部５０が第二支持部６０の上方に位置している。
【００２５】
支持部固定手段は、第一支持部５０および第二支持部６０の両方および一方を棒部３０（棒状体１０）に固定または固定解除するものである。本実施形態では、支持部固定手段は、第二支持部６０を棒部３０（棒状体１０）に固定するものとなっている。また、支持部固定手段は、棒状体１０の基部２０と棒部３０との固定にも用いられている。支持部固定手段は、支持部固定具７０と、第一孔２８、第二孔３２または第三孔６５との組み合わせにより構成されている。支持部固定具７０は、図６に示すように、円柱状の胴部７２と、胴部７２の後端に設けられる円盤状の取手部７４と、胴部７２の先端に設けられる矩形板状の鍵山部７６と、を備えている。支持部固定具７０のうち、鍵山部７６と胴部７２は、正面視すると、第一孔２８および第二孔３２の輪郭をやや一回り小さくした輪郭となっている。支持部固定具７０は、第一孔２８または第三孔６５を第二孔３２に重ね合わせた状態で、鍵山部７６と胴部７２を第一孔２８または第二孔３２の形状に合わせて挿入し、鍵山部７６を第一孔２８または第三孔６５から突き出した状態で胴部７２を回すことにより、棒部３０と基部２０または第二支持部６０とが固定され、支持部固定具７０が棒部３０、基部２０および第二支持部６０から抜けないようになる。棒部３０と基部２０または第二支持部６０との固定を解除する場合には、上記とは逆の手順を行えばよい。
支持部固定手段は、第二孔３２が棒部３０の上下方向に複数設けられているので、棒部３０（棒状体１０）に対する第二支持部６０の固定位置を上下方向に変更することができる。
なお、支持部固定手段は、第一支持部５０を棒部３０（棒状体１０）に固定するものであってもよいし、第一支持部５０および第二支持部６０を棒部３０（棒状体１０）に固定するものであってもよい。また、支持部固定手段は、上記以外のものであってもよく、棒部３０と基部２０、第一支持部５０または第二支持部６０とを固定できるものであればどのようなものであってもよい。
【００２６】
締結手段は、一対の第一支持部５０，５０と木柱Ｐおよび一対の第二支持部６０，６０と木柱Ｐの両方の組み合わせまたは一方の組み合わせに対し、各組み合わせを一体的に締結するものである。本実施形態では、締結手段は、一対の第一支持部５０，５０と木柱Ｐおよび一対の第二支持部６０，６０と木柱Ｐの両方の組み合わせをそれぞれ締結するものであり、締結具８０と、第一長孔５８または第二長孔６８との組み合わせにより構成されている。締結具８０は、いわゆるラッシングベルトであり、図７および図８に示すように、化学繊維等により形成された柔軟性を有する帯状の帯状部８２と、帯状部８２に備えられるバックル８４と、を備えている。バックル８４は、ラチェット式であり、バックル８４に帯状部８２を通してバックル８４を操作することにより、帯状部８２の締め込みやその解除を行えるようになっている。締結具８０は、帯状部８２を一対の第一支持部５０，５０のそれぞれの第一長孔５８に通しつつ木柱Ｐの側周に巻き付け、バックル８４で帯状部８２を締め付けることにより、一対の第一支持部５０，５０と木柱Ｐとを一体的に締結する。同様に、締結具８０は、帯状部８２を一対の第二支持部６０，６０のそれぞれの第二長孔６８に通しつつ木柱Ｐの側周に巻き付け、バックル８４で帯状部８２を締め付けることにより、一対の第二支持部６０，６０と木柱Ｐとを一体的に締結する。
締結手段は、一対の第一支持部５０，５０と木柱Ｐおよび一対の第二支持部６０，６０と木柱Ｐの一方の組み合わせにだけ用いてもよい。また、締結手段は、上記以外のものであってもよく、一対の第一支持部５０，５０と木柱Ｐおよび一対の第二支持部６０，６０と木柱Ｐの各組み合わせを一体的に締結できるものであればどのようなものであってもよい。
【００２７】
木柱固定手段は、一対の第一支持部５０，５０および一対の第二支持部６０，６０の両方の対または一方の対を木柱Ｐに固定するものである。本実施形態では、木柱固定手段は、一対の第二支持部６０，６０を木柱Ｐに固定するものであり、木柱固定具９０と、第二支持部６０の第四孔６９とにより構成されている。木柱固定具９０は、本実施形態では、図８に示すように、コーチスクリューが用いられている。木柱固定具９０は、第二支持部６０の第四孔６９から木柱Ｐに打ち込まれ、第二支持部６０と木柱Ｐとを固定する。
木柱固定手段は、一対の第一支持部５０，５０を木柱Ｐに固定するものであってもよいし、一対の第一支持部５０，５０および一対の第二支持部６０，６０の両方の対を木柱Ｐに固定するものであってもよい。また、木柱固定手段は、上記以外のものであってもよく、一対の第一支持部５０，５０および一対の第二支持部６０，６０の両方の対または一方の対を木柱Ｐに固定できるものであればどのようなものであってもよい。
【００２８】
以上に示した木柱の引抜装置のうち第一支持部５０は、棒状体１０には固定されておらず、締結具８０により木柱Ｐに固定されているだけであるため、木柱Ｐを補助的に支持するとともに、木柱Ｐを引き抜く際のガイドとして機能する。第二支持部６０は、支持部固定具７０により棒状体１０に固定され、締結具８０により木柱Ｐに固定されるとともに木柱固定具９０により木柱Ｐに確実に固定されるので、昇降装置４０の昇降部４４および棒状体１０が上昇する力を木柱Ｐに伝える。
【００２９】
次に、上記木柱の引抜装置を用いた木柱の引抜方法について図９を参照して説明する。木柱Ｐは、一端側を地中に埋設して立てられているものとする。
【００３０】
木柱の引抜作業の間、必要に応じて、木柱Ｐの転倒を防止するために、チルホールまたは吊工具から吊り下げられたワイヤＷを木柱Ｐに巻き付け、チルホールまたは吊工具で木柱Ｐを支持するようにしてもよい。
【００３１】
まず、図９（Ａ）に示すように、木柱の引抜装置を木柱Ｐに取り付ける。具体的には、木柱Ｐを挟んで木柱Ｐの両側の地面に一対の昇降装置４０，４０を設置する。この際、必要に応じて、昇降装置４０が地面にめり込まないように、昇降装置４０と地面の間に、板などの介在部材をあてがってもよい。次いで、各昇降装置４０の昇降部４４に各棒状体１０を載せる。次いで、各第二支持部６０を各棒状体１０に取り付けて支持部固定具７０により各棒状体１０に固定する。次いで、各第一支持部５０を各棒状体１０に取り付ける。各第一支持部５０は各第二支持部６０の上方に位置する。次いで、各昇降装置４０およびこれに支持された各棒状体１０を移動させることにより、一対の第一あてがい部５２，５２および一対の第二あてがい部６２，６２をそれぞれ対向させて木柱Ｐの側面にあてがう。次いで、一対の第一支持部５０，５０と木柱Ｐとを締結具８０により締結し、一対の第二支持部６０，６０と木柱Ｐとを締結具８０により締結する。さらに、４つの木柱固定具９０，９０，９０，９０を、第二支持部６０の第四孔６９から木柱Ｐに打ち込む。
【００３２】
次に、木柱Ｐの引抜きをおこなう。具体的には、まず各昇降装置４０の操作部４６の先端部に電動回転工具（図示略）を取り付ける。そして、電動回転工具を駆動し、各昇降装置４０の操作部４６を回転させることにより、各昇降装置４０の昇降部４４をほぼ同時に上昇させる（図９（Ｂ）参照）。これにより、第二支持部６０に確実に固定された木柱Ｐが昇降部４４の上昇した長さに応じて地中から引き抜かれる。
【００３３】
一回の昇降装置４０の昇降部４４の上昇では木柱Ｐを地中から完全に引き抜けない場合には、引き続き以下の作業を行う。具体的には、一方の第二支持部６０と棒部３０から支持部固定具７０を外し、第二支持部６０と棒部３０との固定を解除する。次いで、各昇降装置４０の操作部４６の先端部に電動回転工具を取り付ける。そして、電動回転工具を駆動し、昇降装置４０の操作部４６を回転させることにより、先の工程で上昇していた各昇降装置４０の昇降部４４を下降させる（図９（Ｃ）参照）。この際、第一支持部５０と第二支持部６０は締結具８０および木柱固定具９０の一方または両方により木柱Ｐに固定されているので昇降装置４０の昇降部４４の下降に伴って下降しない。次いで、支持部固定具７０により、第二支持部６０を棒部３０に固定しなおす。他方も同様に行う。次いで、各昇降装置４０の操作部４６の先端部に電動回転工具を取り付ける。そして、電動回転工具により各昇降装置４０の操作部４６を回転させ、再び各昇降装置４０の昇降部４４をほぼ同時に上昇させる（図９（Ｄ）参照）。この昇降装置４０の昇降部４４の下降から再び上昇させるまでの工程を、木柱Ｐが土圧から解放されるまで繰り返し行う。
【００３４】
上記木柱の引抜装置および木柱の引抜方法において、第一支持部５０と第二支持部６０は位置関係が上下逆であってもよい。
【００３５】
上記木柱の引抜装置および木柱の引抜方法は、電力、通信および鉄道等の様々な分野における地上に敷設された木柱Ｐに適用できる。
【００３６】
木柱の引抜装置および木柱の引抜方法によると、装置を破損させることなく安全に木柱Ｐを引き抜くことができ、しかも木柱Ｐの引抜作業の作業時間と作業者の負担を著しく低減することができる。
また、木柱の引抜装置は、比較的軽量であるため運搬しやすく、低コストで製造することができる。
【００３７】
木柱の引抜装置および木柱の引抜方法によると、昇降部４４の操作部４６の先端部を電動回転工具が装着できる形状とすることにより、電動回転工具を用いて昇降装置４０を昇降させることができるので、より一層木柱Ｐの引抜作業の作業時間と作業者の負担を低減することができる。
【００３８】
本発明の木柱の引抜装置および木柱の引抜方法は、上記実施形態に特に限定されるものではなく、本発明の要旨の範囲内において適宜変更することができる。
【符号の説明】
【００３９】
１０    棒状体
２０    基部
２２    脚部
２４    底板
２６    ガイド部
２８    第一孔
３０    棒部
３２    第二孔
４０    昇降装置
４２    昇降装置本体
４４    昇降部
４６    操作部
５０    第一支持部
５２    第一あてがい部
５３    第一湾曲部
５４    第一スライド部
５６    第一アーム部
５８    第一長孔
６０    第二支持部
６２    第二あてがい部
６３    第二湾曲部
６４    第二スライド部
６５    第三孔
６６    第二アーム部
６８    第二長孔
６９    第四孔
７０    支持部固定具
７２    胴部
７４    取手部
７６    鍵山部
８０    締結具
８２    帯状部
８４    バックル
９０    木柱固定具
１００    装置本体
１０２    アーム材
１０４    チェーンブロック
１０６    チェーン
Ｐ    木柱
Ｗ    ワイヤ
【図１】
2017101545.tif 000003
【図２】
2017101545.tif 000004
【図３】
2017101545.tif 000005
【図４】
2017101545.tif 000006
【図５】
2017101545.tif 000007
【図６】
2017101545.tif 000008
【図７】
2017101545.tif 000009
【図８】
2017101545.tif 000010
【図９】
2017101545.tif 000011
【図１０】
2017101545.tif 000012